(57)【要約】【課題】本開示は、制御対象の状態を状況に応じて調整可能な制御装置、制御方法および制御システムを提供する。【解決手段】サーバー装置１００は、ユーザーによる輝度の調整が可能な複数の機内モニタ２００から受信した調整情報に基づき、複数の機内モニタ２００のうちユーザーにより第１条件を満たすような前記輝度の調整が行われた機内モニタ２００からなる第１機内モニタ群と、前記第１機内モニタ群に含まれない機内モニタ２００からなる第２機内モニタ群とを特定し、第１機内モニタ群に含まれる機内モニタ２００における調整情報に基づいて調整指示内容を決定し、第２機内モニタ群に含まれる機内モニタ２００に対してネットワークＩ／Ｆ１０１を介して調整指示内容で調整指示を行う。【選択図】図４
2016146246.tif 000002
【特許請求の範囲】
【請求項１】
ユーザーによる輝度の調整が可能な複数のモニタから、前記輝度の調整に関する調整情報を受信すると共に、前記複数のモニタに対して前記輝度の調整に関する調整指示を発信する通信部と、
前記通信部が前記複数のモニタから受信した前記調整情報に基づき、前記複数のモニタのうちユーザーにより第１条件を満たすような前記輝度の調整が行われたモニタからなる第１モニタ群と、前記第１モニタ群に含まれないモニタからなる第２モニタ群とを特定し、前記第１モニタ群に含まれるモニタにおける前記調整情報に基づいて調整指示内容を決定し、前記第２モニタ群に含まれるモニタに対して前記通信部を介して前記調整指示内容で調整指示を行う制御部と、
を備える制御装置。
【請求項２】
ユーザーによる照度の調整が可能な複数の照明から、前記照度の調整に関する調整情報を受信すると共に、前記複数の照明に対して前記照度の調整に関する調整指示を発信する通信部と、
前記通信部が前記複数の照明から受信した前記調整情報に基づき、前記複数の照明のうちユーザーにより第１条件を満たすような前記照度の調整が行われた照明からなる第１照明群と、前記第１照明群に含まれない照明からなる第２照明群とを特定し、前記第１照明群に含まれる照明における前記調整情報に基づいて調整指示内容を決定し、前記第２照明群に含まれる照明に対して前記通信部を介して前記調整指示内容で調整指示を行う制御部と、
を備える制御装置。
【請求項３】
ユーザーによる透過率の調整が可能な複数の電子窓から、前記透過率の調整に関する調整情報を受信すると共に、前記複数の電子窓に対して前記透過率の調整に関する調整指示を発信する通信部と、
前記通信部が前記複数の電子窓から受信した前記調整情報に基づき、前記複数の電子窓のうちユーザーにより第１条件を満たすような前記透過率の調整が行われた電子窓からなる第１電子窓群と、前記第１電子窓群に含まれない電子窓からなる第２電子窓群とを特定し、前記第１電子窓群に含まれる電子窓における前記調整情報に基づいて調整指示内容を決定し、前記第２電子窓群に含まれる電子窓に対して前記通信部を介して前記調整指示内容で調整指示を行う制御部と、
を備える制御装置。
【請求項４】
ユーザーによる輝度の調整が可能な複数のモニタから、前記輝度の調整に関する調整情報を受信するステップと、
前記調整情報に基づき、前記複数のモニタのうちユーザーにより第１条件を満たすような前記輝度の調整が行われたモニタからなる第１モニタ群と、前記第１モニタ群に含まれないモニタからなる第２モニタ群とを特定するステップと、
前記第１モニタ群に含まれるモニタにおける前記調整情報に基づいて調整指示内容を決定するステップと、
前記第２モニタ群に含まれるモニタに対して前記調整指示内容で調整指示を発信するステップと、
を備える制御方法。
【請求項５】
ユーザーによる照度の調整が可能な複数の照明から、前記照度の調整に関する調整情報を受信するステップと、
前記調整情報に基づき、前記複数の照明のうちユーザーにより第１条件を満たすような前記照度の調整が行われた照明からなる第１照明群と、前記第１照明群に含まれない照明からなる第２照明群とを特定するステップと、
前記第１照明群に含まれる照明における前記調整情報に基づいて調整指示内容を決定するステップと、
前記第２照明群に含まれる照明に対して前記調整指示内容で調整指示を発信するステップと、
を備える制御方法。
【請求項６】
ユーザーによる透過率の調整が可能な複数の電子窓から、前記透過率の調整に関する調整情報を受信するステップと、
前記調整情報に基づき、前記複数の電子窓のうちユーザーにより第１条件を満たすような前記透過率の調整が行われた電子窓からなる第１電子窓群と、前記第１電子窓群に含まれない電子窓からなる第２電子窓群とを特定するステップと、
前記第１電子窓群に含まれる電子窓における前記調整情報に基づいて調整指示内容を決定するステップと、
前記第２電子窓群に含まれる電子窓に対して前記調整指示内容で調整指示を発信するステップと、
を備える制御方法。
【請求項７】
複数のモニタと、前記複数のモニタに対して輝度の調整指示を行う制御装置とを備える制御システムであって、
前記制御装置は、
ユーザーによる輝度の調整が可能な複数のモニタから、前記輝度の調整に関する調整情報を受信すると共に、前記複数のモニタに対して前記輝度の調整に関する調整指示を発信する第１通信部と、
前記第１通信部が前記複数のモニタから受信した前記調整情報に基づき、前記複数のモニタのうちユーザーにより第１条件を満たすような前記輝度の調整が行われたモニタからなる第１モニタ群と、前記第１モニタ群に含まれないモニタからなる第２モニタ群とを特定し、前記第１モニタ群に含まれるモニタにおける前記調整情報に基づいて調整指示内容を決定し、前記第２モニタ群に含まれるモニタに対して前記第１通信部を介して前記調整指示内容で調整指示を行う第１制御部と、
を備え、
前記複数のモニタの各々は、
輝度調整が可能なディスプレイと、
ユーザーによる前記ディスプレイの輝度調整の指示を受け付ける操作部と、
前記操作部が受け付けた前記輝度調整に関する情報を前記制御装置に発信すると共に前記制御装置から前記調整指示を受信する第２通信部と、
前記操作部が受け付けた輝度調整の指示および前記第２通信部が前記制御装置から受信した前記調整指示に基づいて前記ディスプレイの輝度を調整する第２制御部と、
を備える制御システム。
【請求項８】
複数の照明と、前記複数の照明に対して照度の調整指示を行う制御装置とを備える制御システムであって、
前記制御装置は、
ユーザーによる照度の調整が可能な複数の照明から、前記照度の調整に関する調整情報を受信すると共に、前記複数の照明に対して前記照度の調整に関する調整指示を発信する第１通信部と、
前記第１通信部が前記複数の照明から受信した前記調整情報に基づき、前記複数の照明のうちユーザーにより第１条件を満たすような前記照度の調整が行われた照明からなる第１照明群と、前記第１照明群に含まれない照明からなる第２照明群とを特定し、前記第１照明群に含まれる照明における前記調整情報に基づいて調整指示内容を決定し、前記第２照明群に含まれる照明に対して前記第１通信部を介して前記調整指示内容で調整指示を行う第１制御部と、
を備え、
前記複数の照明の各々は、
照度調整が可能な光源と、
ユーザーによる前記光源の照度調整の指示を受け付ける操作部と、
前記操作部が受け付けた前記照度調整に関する情報を前記制御装置に発信すると共に前記制御装置から前記調整指示を受信する第２通信部と、
前記操作部が受け付けた照度調整の指示および前記第２通信部が前記制御装置から受信した前記調整指示に基づいて前記光源の照度を調整する第２制御部と、
を備える制御システム。
【請求項９】
複数の電子窓と、前記複数の電子窓に対して透過率の調整指示を行う制御装置とを備える制御システムであって、
前記制御装置は、
ユーザーによる透過率の調整が可能な複数の電子窓から、前記透過率の調整に関する調整情報を受信すると共に、前記複数の電子窓に対して前記透過率の調整に関する調整指示を発信する第１通信部と、
前記第１通信部が前記複数の電子窓から受信した前記調整情報に基づき、前記複数の電子窓のうちユーザーにより第１条件を満たすような前記透過率の調整が行われた電子窓からなる第１電子窓群と、前記第１電子窓群に含まれない電子窓からなる第２電子窓群とを特定し、前記第１電子窓群に含まれる電子窓における前記調整情報に基づいて調整指示内容を決定し、前記第２電子窓群に含まれる電子窓に対して前記第１通信部を介して前記調整指示内容で調整指示を行う第１制御部と、
を備え、
前記複数の電子窓の各々は、
透過率調整が可能な調光素子と、
ユーザーによる前記調光素子の透過率調整の指示を受け付ける操作部と、
前記操作部が受け付けた前記透過率調整に関する情報を前記制御装置に発信すると共に前記制御装置から前記調整指示を受信する第２通信部と、
前記操作部が受け付けた透過率調整の指示および前記第２通信部が前記制御装置から受信した前記調整指示に基づいて前記調光素子の透過率を調整する第２制御部と、
を備える制御システム。
【発明の詳細な説明】
【技術分野】
【０００１】
本開示は、航空機や列車等において利用可能な制御装置、制御方法及び制御システムに関する。
【背景技術】
【０００２】
特許文献１は、表示装置のバックライトの現在の明るさを検出し、現在の明るさと所定の輝度レベルとの比較結果に基づき、バックライトの現在の明るさを所定の輝度レベルに制限するバックライト制御装置を開示する。この構成により、バックライト制御装置は複数の表示装置の明るさを均一にすることができる。
【先行技術文献】
【特許文献】
【０００３】
【特許文献１】特開平１０−９７２０２号公報
【発明の概要】
【発明が解決しようとする課題】
【０００４】
本開示は、制御対象の状態を状況に応じて調整可能な制御装置、制御方法および制御システムを提供する。
【課題を解決するための手段】
【０００５】
本開示における制御装置は、ユーザーによる輝度の調整が可能な複数のモニタから、輝度の調整に関する調整情報を受信すると共に、複数のモニタに対して輝度の調整に関する調整指示を発信する通信部と、通信部が複数のモニタから受信した調整情報に基づき、複数のモニタのうちユーザーにより第１条件を満たすような輝度の調整が行われたモニタからなる第１モニタ群と、第１モニタ群に含まれないモニタからなる第２モニタ群とを特定し、第１モニタ群に含まれるモニタにおける調整情報に基づいて調整指示内容を決定し、第２モニタ群に含まれるモニタに対して通信部を介して調整指示内容で調整指示を行う制御部と、を備える。
【発明の効果】
【０００６】
本開示における制御装置、制御方法および制御システムは、制御対象の状態を状況に応じて調整するのに有効である。
【図面の簡単な説明】
【０００７】
【図１】実施の形態１における機内システムの構成を示す図
【図２】実施の形態１におけるサーバー装置の構成を示す図
【図３】実施の形態１における機内モニタの構成を示す図
【図４】実施の形態１における機内モニタの輝度を調整する動作を説明するためのフローチャート
【図５】実施の形態２における機内システムの構成を示す図
【図６】実施の形態２におけるコントロールユニットの構成を示す図
【図７】実施の形態３における機内システムの構成を示す図
【図８】実施の形態３におけるコントロールユニットの構成を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
以下、図１〜図４を用いて、実施の形態１を説明する。
【００１１】
［１−１  構成］
図１は、実施の形態１における機内システム１の構成を示す図である。機内システム１は、サーバー装置１００と、機内モニタ２００Ａ〜２００Ｃとを備える。サーバー装置１００は、機内モニタ２００Ａ〜２００Ｃとネットワークケーブルで接続され、コンテンツの配信や機内モニタの輝度の情報の取得など双方向の通信を行う。機内モニタ２００Ａ〜２００Ｃの輝度調整等の情報は、サーバー装置１００で一括管理される。機内モニタ２００Ａ〜２００Ｃは、航空機の各座席に取り付けられたモニタであり、サーバー装置から配信されたコンテンツの再生等が可能である。機内モニタ２００Ａ〜２００Ｃは、各々操作スイッチ２０４Ａ〜２０４Ｃを備える。機内モニタ２００Ａ〜２００Ｃの各々は同じ構成を備えている。以下、機内モニタ２００Ａ〜２００Ｃを総称して機内モニタ２００とする場合がある。操作スイッチ２０４Ａ〜２０４Ｃと、ディスプレイ２０６Ａ〜２０６Ｃとについても同様である。機内モニタ２００は、例えば航空機の乗客用座席に設けられる。本実施の形態では、サーバー装置１００に３台の機内モニタ２００が接続される構成を例に挙げて説明するが、機内モニタ２００の台数はこれに限らず何台でもよい。
【００１２】
図２は、サーバー装置１００の構成を示す図である。サーバー装置１００は、ネットワークインターフェース１０１と、ＣＰＵ１０２と、メモリー１０３と、データストレージ１０４とを備える。ネットワークインターフェース１０１は、ＣＰＵ１０２が、機内モニタ２００と通信を実施するためのインターフェースである。
【００１３】
ＣＰＵ１０２は、メモリー１０３に格納されたプログラムを実行し、各種演算や情報処理を行う。ＣＰＵ１０２は、メモリー１０３やデータストレージ１０４に対して読み出しと書き込みが可能である。また、ＣＰＵ１０２は、ネットワークインターフェース１０１を介して機内モニタ２００との通信を行う。ＣＰＵ１０２は、機内モニタ２００の輝度情報を収集し、後述するシーケンスに従って各機内モニタ２００に対して輝度調整指示を発する。
【００１４】
メモリー１０３は、ＣＰＵ１０２が実行するプログラムや、ＣＰＵ１０２の演算結果や、機内モニタ２００の輝度調整の情報等を格納する。メモリー１０３は、フラッシュメモリやＲＡＭで構成される。データストレージ１０４は、機内モニタ２００に配信するためのコンテンツ等を格納している。データストレージ１０４は、ハードディスク等で構成される。
【００１５】
図３は、機内モニタ２００の構成を示す図である。機内モニタ２００は、ネットワークインターフェース２０１と、ＣＰＵ２０２と、メモリー２０３と、操作スイッチ２０４と、ディスプレイ２０６とを備える。航空機の乗客は、操作スイッチ２０４を操作することにより、ディスプレイ２０６の輝度調整が可能である。ディスプレイ２０６の輝度情報は、メモリー２０３へ格納される。ＣＰＵ２０２は、サーバー装置１００のＣＰＵ１０２から輝度情報収集命令を受信した場合、メモリー２０３に格納されたディスプレイ２０６の輝度情報を、ネットワークインターフェース２０１を介してサーバー装置１００へ送信する。また、ＣＰＵ２０２がＣＰＵ１０２から輝度調整指示を受信した場合、ディスプレイ２０６に対して輝度調整を行い、輝度情報をメモリー２０３へ格納する。ＣＰＵ２０２は、サーバー装置１００から受信したコンテンツを、ディスプレイ２０６に表示する。
【００１６】
機内システム１は、制御システムの一例である。サーバー装置１００は、制御装置の一例である。機内モニタ２００は、モニタの一例である。ＣＰＵ１０２は、第１制御部の一例である。ネットワークインターフェース１０１は、第１通信部の一例である。ＣＰＵ２０２は、第２制御部の一例である。ネットワークインターフェース２０１は、第２通信部の一例である。操作スイッチ２０４は、操作部の一例である。
［１−２  動作］
以上のように構成された機内システムについて、その動作を以下で説明する。図４は、サーバー装置１００が機内モニタ２００の輝度を調整する動作を説明するためのフローチャートである。
【００１７】
ＣＰＵ１０２は、機内モニタ２００から輝度情報を取得し、前回取得時からの輝度の変化量の平均値を算出する（Ｓ４０１）。ＣＰＵ１０２は、一定期間毎に機内モニタ２００に対して輝度情報収集命令を送信する。機内モニタ２００のＣＰＵ２０２は、上記命令を受信すると、メモリー２０３に格納された現在のディスプレイ２０６の輝度情報を、ネットワークインターフェース２０１を介してＣＰＵ１０２へ送信する。次に、ＣＰＵ１０２は機内モニタ２００毎に、前回取得した際の輝度と今回取得した際の輝度の差分を算出する。なお、初回の輝度情報は機内システムが起動した際に取得をするが、この際には本処理は実施しない。ＣＰＵ１０２は、機内モニタ２００を、前回取得した輝度との差分が検出された第１機内モニタ群と、差分が検出されなかった第２機内モニタ群とに分類する。第１機内モニタ群とは言い換えれば、ユーザーにより、前回取得時以降にディスプレイ２０６の輝度の調整が行われた機内モニタ２００からなるモニタ群である。また、第２機内モニタ群とは、ユーザーにより、前回取得時以降にディスプレイ２０６の輝度の調整が行われなかった機内モニタ２００からなるモニタ群である。ＣＰＵ１０２は、第１機内モニタ群に含まれる機内モニタ２００の輝度の変化量の平均値を算出する。前回取得した輝度との差分が検出されることは、第１条件の一例である。
【００１８】
ＣＰＵ１０２は、ステップＳ４０１で算出した変化量の平均値と、あらかじめメモリー１０３に格納されている閾値とを比較する（Ｓ４０２）。
【００１９】
ＣＰＵ１０２は、算出された平均値が閾値以上と判断する場合（ステップＳ４０２においてＹｅｓ）、第２機内モニタ群に含まれる機内モニタ２００に対して、ネットワークインターフェース１０１を介して輝度調整指示を送る（Ｓ４０３）。なお、具体的な輝度調整指示としては、第１機内モニタ群の機内モニタ２００の輝度の平均値（変化量の平均値ではなく、現在の輝度の平均値）や、第１機内モニタ群に含まれる機内モニタ２００における輝度の最小値等が考えられるが、これらに限定されるものではない。輝度調整指示を受信したＣＰＵ２０２は、ディスプレイ２０６の輝度を指示内容に応じて調整する。また、調整した輝度情報をメモリー２０３へ格納する。
【００２０】
ＣＰＵ１０２は、算出された平均値が閾値未満と判断する場合（ステップＳ４０２においてＮｏ）、機内モニタ２００へは輝度調整指示を送らずに処理を終了する。
【００２１】
また、本処理は、航空機に配置された複数の機内モニタ２００を、ビジネスクラス、エコノミークラスや、通路毎（通路左側、中央、右側）、隣接する前後左右のモニタ等の単位でグループ化し、グループ毎に実施してもよい。
【００２２】
また、本処理は輝度情報の収集を一定期間毎ではなく、機体側インターフェースから受信するフライト情報の変化に基づいて実施してもよい。
［１−３  効果等］
以上のように本実施の形態のサーバー装置１００は、ユーザーによる輝度の調整が可能な複数の機内モニタ２００から、輝度の調整に関する調整情報を受信すると共に、複数の機内モニタ２００に対して輝度の調整に関する調整指示を発信するネットワークインターフェース１０１と、ネットワークインターフェース１０１が複数の機内モニタ２００から受信した調整情報に基づき、複数の機内モニタ２００のうちユーザーにより第１条件を満たすような前記輝度の調整が行われた機内モニタ２００からなる第１機内モニタ群と、前記第１機内モニタ群に含まれない機内モニタ２００からなる第２機内モニタ群とを特定し、第１機内モニタ群に含まれる機内モニタ２００における調整情報に基づいて調整指示内容を決定し、第２機内モニタ群に含まれる機内モニタ２００に対してネットワークインターフェース１０１を介して調整指示内容で調整指示を行うＣＰＵ１０２とを備える。
【００２３】
このサーバー装置１００により、例えば夜間のフライトで機内照明が暗くなった際に、乗客が離席している、あるいは映画等を見ながら乗客が寝てしまい、相対的に眩しいと感じる輝度になっているディスプレイ２０６の輝度を自動調整することができる。より具体的には、乗客が機内の明るさに応じて機内モニタ２００の輝度調整を行うと、サーバー装置１００は、輝度調整された機内モニタ２００の輝度情報を利用して、乗客が調整していない機内モニタ２００の輝度を調整することができる。すなわち、サーバー装置１００は、制御対象の状態を状況に応じて調整可能である。これにより、乗客が周囲のディスプレイ２０６が眩しい事で感じる不快感を低減することができる。
【００２４】
（実施の形態２）
以下、図５〜６を用いて、実施の形態２を説明する。本実施の形態の機内システム２が実施の形態１と異なる点は、サーバー装置１００により、コントロールユニット３００Ａ〜３００Ｃ（以下、総称してコントロールユニット３００とする場合がある）が有する、ライト３０６Ａ〜３０６Ｃ（以下、総称してライト３０６とする場合がある）の照度を制御する点である。ライト３０６は、例えば機内照明が暗い状態において、乗客が自分の手元のみを照らすために使用する読書灯である。実施の形態１と同じ構成についての説明は省略する。
［２−１  構成］
図５は、実施の形態２における機内システム２の構成を示す図である。機内システム２は、サーバー装置１００と、コントロールユニット３００Ａ〜３００Ｃとを備える。サーバー装置１００は、コントロールユニット３００とライト３０６の照度の情報の取得等双方向の通信を行う。コントロールユニット３００の照度調整等の情報は、サーバー装置１００で一括管理される。コントロールユニット３００は、各々操作スイッチ３０４Ａ〜３０４Ｃ（以下、総称して操作スイッチ３０４とする場合がある）を備える。
【００２５】
図６は、実施の形態２におけるコントロールユニット３００の構成を示す図である。コントロールユニット３００は、ネットワークインターフェース３０１と、ＣＰＵ３０２と、メモリー３０３と、操作スイッチ３０４と、ライト３０６とを備える。乗客は、操作スイッチ３０４を操作することにより、ライト３０６の照度調整が可能である。また、本図では１つのライト３０６がＣＰＵ３０２に接続されているが、複数のライト３０６が接続されてもよい。
［２−２  動作］
以上のように構成された機内システム２について、その動作を以下で説明する。本実施の形態の機内システム２は、基本的に図４に示したフローチャートに沿って動作する。したがって、本実施の形態の機内システムの動作についても、図４を参照して説明する。
【００２６】
ＣＰＵ１０２は、コントロールユニット３００から照度情報を取得し、前回取得時からの照度の変化量の平均値を算出する（Ｓ４０１）。ＣＰＵ１０２は、一定期間毎にコントロールユニット３００に対して照度情報収集命令を送信する。ここでいう照度情報とは、操作スイッチ３０４で操作されるライト３０６の明るさの情報である。コントロールユニット３００は、上記命令を受信すると、メモリー３０３に格納された現在のライト３０６の照度情報を、ネットワークインターフェース３０１を介してＣＰＵ１０２へ送信する。次に、ＣＰＵ１０２はコントロールユニット３００毎に、前回取得した際の照度と今回取得した際の照度の差分を算出する。なお、初回の照度情報は機内システムが起動した際に取得をするが、この際には本処理は実施しない。ＣＰＵ１０２は、コントロールユニット３００を、前回取得した照度との差分が検出された第１コントロールユニット群と、差分が検出されなかった第２コントロールユニット群とに分類する。第１コントロールユニット群とは言い換えれば、ユーザーにより、前回取得時以降にライト３０６の照度の調整が行われたコントロールユニット３００からなるコントロールユニット群である。また、第２コントロールユニット群とは、ユーザーにより、前回取得時以降にライト３０６の照度の調整が行われなかったコントロールユニット３００からなるコントロールユニット群である。ＣＰＵ１０２は、第１コントロールユニット群に含まれるコントロールユニット３００の変化量の平均値を算出する。前回取得した照度との差分が検出されることは、第１条件の一例である。
【００２７】
ＣＰＵ１０２は、ステップＳ４０１で算出した変化量の平均値と、あらかじめメモリー１０３に格納されている閾値とを比較する（Ｓ４０２）。
【００２８】
ＣＰＵ１０２は、算出された平均値が閾値以上と判断する場合（ステップＳ４０２においてＹｅｓ）、第２コントロールユニット群に含まれるコントロールユニット３００に対して、ネットワークインターフェース１０１を介して照度調整指示を送る（Ｓ４０３）。なお、具体的な照度調整指示としては、第１コントロールユニット群のコントロールユニット３００の照度の平均値（変化量の平均値ではなく、現在の照度の平均値）や、第１コントロールユニット群に含まれるコントロールユニット３００における照度の最小値等が考えられるが、これらに限定されるものではない。照度調整指示を受信したＣＰＵ３０２は、ライト３０６の照度を指示内容に応じて調整する。また、調整した照度情報をメモリー３０３へ格納する。
【００２９】
ＣＰＵ１０２は、算出された平均値が閾値未満と判断する場合（ステップＳ４０２においてＮｏ）、コントロールユニット３００へは照度調整指示を送らずに処理を終了する。
【００３０】
また、本処理は、航空機に配置された複数のコントロールユニット３００を、ビジネスクラス、エコノミークラスや、通路毎（通路左側、中央、右側）、隣接する前後左右のライト等の単位でグループ化し、グループ毎に実施してもよい。
【００３１】
また、本処理は照度情報の収集を一定期間毎ではなく、機体側インターフェースから受信するフライト情報の変化に基づいて実施してもよい。
［２−３  効果等］
以上のように本実施の形態のサーバー装置１００は、ユーザーによる照度の調整が可能な複数のコントロールユニット３００から、照度の調整に関する調整情報を受信すると共に、複数のコントロールユニット３００に対して照度の調整に関する調整指示を発信するネットワークインターフェース１０１と、ネットワークインターフェース１０１が複数のコントロールユニット３００から受信した調整情報に基づき、複数のコントロールユニット３００のうちユーザーにより第１条件を満たすような照度の調整が行われたコントロールユニット３００からなる第１コントロールユニット群と、第１コントロールユニット群に含まれないコントロールユニット３００からなる第２コントロールユニット群とを特定し、第１コントロールユニット群に含まれるコントロールユニット３００における調整情報に基づいて調整指示内容を決定し、第２コントロールユニット群に含まれるコントロールユニット３００に対してネットワークインターフェース１０１を介して調整指示内容で調整指示を行うＣＰＵ１０２とを備える。
【００３２】
このサーバー装置１００により、例えば夜間のフライトで機内照明が暗くなった際に、乗客が離席している、あるいは乗客が寝てしまい、相対的に眩しいと感じる照度になっているライト３０６の照度を自動調整することができる。より具体的には、乗客が機内の明るさに応じてライト３０６の照度調整を行うと、サーバー装置１００は、照度調整されたライト３０６の照度情報を利用して、乗客が調整していないライト３０６の照度を調整することができる。すなわち、サーバー装置１００は、制御対象の状態を状況に応じて調整可能である。これにより、乗客が周囲のライト３０６が眩しい事で感じる不快感を低減することができる。
【００３３】
（実施の形態３）
以下、図７〜８を用いて、実施の形態３を説明する。本実施の形態の機内システム３が実施の形態１と異なる点は、サーバー装置１００により、コントロールユニット４００Ａ〜４００Ｃ（以下、総称してコントロールユニット４００とする場合がある）が有する、電子窓４０６Ａ〜４０６Ｃ（以下、総称して電子窓４０６とする場合がある）の透過率を制御する点である。実施の形態１と同じ構成についての説明は省略する。
［３−１  構成］
図７は、実施の形態３における機内システム３の構成を示す図である。機内システム３は、サーバー装置１００と、コントロールユニット４００Ａ〜４００Ｃとを備える。サーバー装置１００は、コントロールユニット４００と電子窓４０６の透過率の情報の取得等双方向の通信を行う。コントロールユニット４００の透過率調整等の情報は、サーバー装置１００で一括管理される。コントロールユニット４００は、各々操作スイッチ４０４Ａ〜３０４Ｃ（以下、総称して操作スイッチ４０４とする場合がある）を備える。
【００３４】
図８は、実施の形態３におけるコントロールユニット４００の構成を示す図である。コントロールユニット４００は、ネットワークインターフェース４０１と、ＣＰＵ４０２と、メモリー４０３と、操作スイッチ４０４と、電子窓４０６とを備える。電子窓４０６は、２枚のガラス板の間に電気的に透過率が変化する中間層を設けて構成される。電子窓４０６は、電子カーテンとも呼ばれる。乗客は、操作スイッチ４０４を操作することにより、電子窓４０６の透過率調整が可能である。また、本図では１つの電子窓４０６がＣＰＵ４０２に接続されているが、複数の電子窓４０６が接続されてもよい。
［３−２  動作］
以上のように構成された機内システムについて、その動作を以下で説明する。本実施の形態の機内システムは、基本的に図４に示したフローチャートに沿って動作する。したがって、本実施の形態の機内システムの動作についても、図４を参照して説明する。
【００３５】
ＣＰＵ１０２は、コントロールユニット４００から透過率情報を取得し、前回取得時からの透過率の変化量の平均値を算出する（Ｓ４０１）。ＣＰＵ１０２は、一定期間毎にコントロールユニット４００に対して透過率情報収集命令を送信する。ここでいう透過率とは、操作スイッチ３０４で操作される電子窓４０６の透過率である。コントロールユニット４００は、上記命令を受信すると、メモリー４０３に格納された現在の電子窓４０６の透過率情報を、ネットワークインターフェース４０１を介してＣＰＵ１０２へ送信する。次に、ＣＰＵ１０２はコントロールユニット４００毎に、前回取得した際の透過率と今回取得した際の透過率の差分を算出する。なお、初回の透過率情報は機内システムが起動した際に取得をするが、この際には本処理は実施しない。ＣＰＵ１０２は、コントロールユニット４００を、前回取得した透過率との差分が検出された第１コントロールユニット群と、差分が検出されなかった第２コントロールユニット群とに分類する。第１コントロールユニット群とは言い換えれば、ユーザーにより、前回取得時以降に電子窓４０６の透過率の調整が行われたコントロールユニット４００からなるコントロールユニット群である。また、第２コントロールユニット群とは、ユーザーにより、前回取得時以降に電子窓４０６の透過率の調整が行われなかったコントロールユニット４００からなるコントロールユニット群である。ＣＰＵ１０２は、第１コントロールユニット群に含まれるコントロールユニット３００の変化量の平均値を算出する。前回取得した透過率との差分が検出されることは、第１条件の一例である。
【００３６】
ＣＰＵ１０２は、ステップＳ４０１で算出した変化量の平均値と、あらかじめメモリー１０３に格納されている閾値とを比較する（Ｓ４０２）。
【００３７】
ＣＰＵ１０２は、算出された平均値が閾値以上と判断する場合（ステップＳ４０２においてＹｅｓ）、第２コントロールユニット群に含まれるコントロールユニット４００に対して、ネットワークインターフェース１０１を介して透過率調整指示を送る（Ｓ４０３）。なお、具体的な透過率調整指示としては、第１コントロールユニット群のコントロールユニット４００の透過率の平均値（変化量の平均値ではなく、現在の透過率の平均値）や、第１コントロールユニット群に含まれるコントロールユニット４００における透過率の最小値等が考えられるが、これらに限定されるものではない。透過率調整指示を受信したＣＰＵ４０２は、電子窓４０６の透過率を指示内容に応じて調整する。また、調整した透過率情報をメモリー４０３へ格納する。
【００３８】
ＣＰＵ１０２は、算出された平均値が閾値未満と判断する場合（ステップＳ４０２においてＮｏ）、コントロールユニット４００へは透過率調整指示を送らずに処理を終了する。
【００３９】
また、本処理は、航空機に配置された複数のコントロールユニット４００を、ビジネスクラス、エコノミークラスや、通路毎（通路左側、右側）等の単位でグループ化し、グループ毎に実施してもよい。
【００４０】
また、本処理は透過率情報の収集を一定期間毎ではなく、機体側インターフェースから受信するフライト情報の変化に基づいて実施してもよい。
［３−３  効果等］
以上のように本実施の形態のサーバー装置１００は、ユーザーによる透過率の調整が可能な複数のコントロールユニット４００から、透過率の調整に関する調整情報を受信すると共に、複数のコントロールユニット４００に対して透過率の調整に関する調整指示を発信するネットワークインターフェース１０１と、ネットワークインターフェース１０１が複数のコントロールユニット４００から受信した調整情報に基づき、複数のコントロールユニット４００のうちユーザーにより第１条件を満たすような透過率の調整が行われたコントロールユニット４００からなる第１コントロールユニット群と、第１コントロールユニット群に含まれないコントロールユニット４００からなる第２コントロールユニット群とを特定し、第１コントロールユニット群に含まれるコントロールユニット４００における調整情報に基づいて調整指示内容を決定し、第２コントロールユニット群に含まれるコントロールユニット４００に対してネットワークインターフェース１０１を介して調整指示内容で調整指示を行うＣＰＵ１０２とを備える。
【００４１】
このサーバー装置１００により、例えばフライト中に西日等が入り、客観的に乗客が眩しいと判断するようなケースで、乗客が離席している、あるいは空席となっていて、相対的に眩しいと感じる透過率になっている電子窓４０６の透過率を自動調整することができる。より具体的には、乗客が窓の外の明るさに応じて電子窓４０６の透過率調整を行うと、サーバー装置１００は、透過率調整された電子窓４０６の透過率情報を利用して、乗客が調整していない電子窓４０６の透過率を調整することができる。すなわち、サーバー装置１００は、制御対象の状態を状況に応じて調整可能である。これにより、乗客が窓の外が眩しい事で感じる不快感を低減することができる。
【００４２】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１と実施の形態２で説明した各構成要素を組み合わせて、新たな実施の形態とすることも可能である。
【００４３】
そこで、以下、他の実施の形態を例示する。
【００４４】
各実施の形態の構成では、サーバー装置１００と機内モニタやコントロールユニットとの接続手段の一例としてネットワークケーブルでの接続形態を説明した。ネットワークケーブルを用いることでサーバー装置１００と機内モニタやコントロールユニットとの接続が安定する効果が見込める。ただし接続方法はネットワークケーブルに限定されない。例えば無線での通信を用いることで、機内モニタの配置の自由度が高まる。
【００４５】
実施の形態１では、機内モニタ２００がディスプレイ２０６の輝度を調整するための操作スイッチ２０４を備える構成を説明した。ディスプレイ２０６の輝度を調整するための操作部はこれに限らない。例えば、機内モニタ２００がタッチパネルを備え、ユーザーによるタッチパネルの操作によりディスプレイ２０６の輝度を調整できる構成としてもよい。実施の形態２、実施の形態３における操作スイッチについても、同様にタッチパネル等で構成してもよい。
【００４６】
以上のように、本開示における技術の例示として、実施の形態を説明した。そのために、添付図面および詳細な説明を提供した。
【００４７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４８】
また、上述の実施の形態は、本開示における技術を例示するためのものであるから、特許請求の範囲またはその均等の範囲において種々の変更、置き換え、付加、省略などを行うことができる。
【産業上の利用可能性】
【００４９】
本開示は、制御対象の状態を状況に応じて調整可能な制御装置、制御方法および制御システムを提供することができるため、航空機や列車等において利用可能な制御装置、制御方法及び制御システムに適用可能である。
【符号の説明】
【００５０】
１００  サーバー装置
１０１、２０１、３０１、４０１  ネットワークインターフェース
１０２、２０２、３０２、４０２  ＣＰＵ
１０３、２０３、３０３、４０３  メモリー
１０４  データストレージ
２００  機内モニタ
２０４、３０４、４０４  操作スイッチ
２０６  ディスプレイ
３００、４００  コントロールユニット
３０６  ライト
４０６  電子窓
【図１】
2016146246.tif 000003
【図２】
2016146246.tif 000004
【図３】
2016146246.tif 000005
【図４】
2016146246.tif 000006
【図５】
2016146246.tif 000007
【図６】
2016146246.tif 000008
【図７】
2016146246.tif 000009
【図８】
2016146246.tif 000010